(57)【特許請求の範囲】
【請求項１】
測定の開始や終了の指示を含む各種の測定に関する制御を行う制御部（２４）を備えた制御モジュール（２）に対して、各筺体（２０，３０）に露出するように設けられたコネクタ部（２５，３５ａ）を介して、前記制御部の制御に基づいて所望の測定を行う測定部（３００）を備えた少なくとも１つの測定モジュール（３）がコネクタ接続されるとともに、各筺体（３０，４０）に露出するように設けられたコネクタ部（３５ｂ，４３）を介して、前記測定モジュールにコネクタ接続される電源モジュール（４）の電源部（４００）より、前記制御モジュールおよび前記測定モジュールの各部に電源を供給するための電源制御装置（４４，４５，４６）であって、
前記電源部は、前記筐体（４０）の内部に内蔵されるバッテリ（４１）と、外部電源（４２）とによって構成され、
前記電源制御装置は、
前記制御モジュールの接地電位を検出する検出部（４５ａ）と、
前記検出部によって前記接地電位が検出されたか否かに基づいて、前記電源部からの前記電源の供給のオン／オフを切り換えるスイッチ回路（４４）と、
前記検出部によって前記接地電位が検出されたことに基づいて、前記スイッチ回路のオフからオンへの切り換えを所定の時間だけ遅らせる遅延部（４６）と、を備え、
前記スイッチ回路は、
前記制御モジュールおよび前記測定モジュールの各部への前記バッテリからの前記電源の供給のオン／オフを切り換えるバッテリ側スイッチ（４４ａ）と、
前記制御モジュールおよび前記測定モジュールの各部への前記外部電源からの前記電源の供給のオン／オフを切り換える外部電源側スイッチ（４４ｂ）と、
前記バッテリ側スイッチおよび前記外部電源側スイッチのオン／オフを決定する優先電圧判定部（４４ｄ）と、
前記優先電圧判定部の決定に基づいて、前記バッテリ側スイッチおよび前記外部電源側スイッチのオン／オフを制御するスイッチ制御回路（４４ｃ）と、を有し、
前記優先電圧判定部は、
前記検出部によって前記接地電位が検出されていない場合に、前記バッテリ側スイッチおよび前記外部電源側スイッチを共にオフにする決定を前記スイッチ制御回路に出力し、また、
前記検出部によって前記接地電位が検出されており、かつ前記外部電源の電圧が予め定められた電圧閾値以上である場合に、前記外部電源側スイッチをオンにする決定を前記スイッチ制御回路に出力し、また、
前記検出部によって前記接地電位が検出されており、かつ前記外部電源の電圧が予め定められた電圧閾値以上でない場合に、前記バッテリ側スイッチをオンにする決定を前記スイッチ制御回路に出力することを特徴とする電源制御装置。
【請求項２】
前記制御モジュールは、測定者が前記電圧閾値を設定するための操作部（２１）を有することを特徴とする請求項１に記載の電源制御装置。
【請求項３】
前記電圧閾値が前記電源モジュールに保持されることを特徴とする請求項１に記載の電源制御装置。
【請求項４】
前記コネクタ部は、１２０ピンを有するコネクタであることを特徴とする請求項１から請求項３のいずれか１項に記載の電源制御装置。
【請求項５】
測定の開始や終了の指示を含む各種の測定に関する制御を行う制御部（２４）を備えた制御モジュール（２）に対して、各筺体（２０，３０）に露出するように設けられたコネクタ部（２５，３５ａ）を介して、前記制御部の制御に基づいて所望の測定を行う測定部（３００）を備えた少なくとも１つの測定モジュール（３）がコネクタ接続されるとともに、各筺体（３０，４０）に露出するように設けられたコネクタ部（３５ｂ，４３）を介して、前記測定モジュールにコネクタ接続される電源モジュール（４）の電源部（４００）より、前記制御モジュールおよび前記測定モジュールの各部に電源を供給するための電源制御装置（４４，４５，４６）の電源制御方法であって、
前記電源部は、前記筐体（４０）の内部に内蔵されるバッテリ（４１）と、外部電源（４２）とによって構成され、
前記電源制御装置は、
前記制御モジュールの接地電位を検出部（４５ａ）によって検出し、
前記接地電位が検出されたか否かに基づいて、前記電源部からの前記電源の供給のオン／オフを切り換えるスイッチ回路（４４）を制御するとともに、
前記接地電位が検出されたことに基づいて、前記スイッチ回路のオフからオンへの切り換えを遅延部（４６）により所定の時間だけ遅らせ、
前記スイッチ回路は、
前記制御モジュールおよび前記測定モジュールの各部への前記バッテリからの前記電源の供給のオン／オフをバッテリ側スイッチ（４４ａ）によって切り換え、
前記制御モジュールおよび前記測定モジュールの各部への前記外部電源からの前記電源の供給のオン／オフを外部電源側スイッチ（４４ｂ）によって切り換え、
前記バッテリ側スイッチおよび前記外部電源側スイッチのオン／オフを優先電圧判定部（４４ｄ）によって決定し、
前記優先電圧判定部の決定に基づいて、前記バッテリ側スイッチおよび前記外部電源側スイッチのオン／オフをスイッチ制御回路（４４ｃ）によって制御し、
前記優先電圧判定部は、
前記検出部によって前記接地電位が検出されていない場合に、前記バッテリ側スイッチおよび前記外部電源側スイッチを共にオフにする決定を前記スイッチ制御回路に出力し、また、
前記検出部によって前記接地電位が検出されており、かつ前記外部電源の電圧が予め定められた電圧閾値以上である場合に、前記外部電源側スイッチをオンにする決定を前記スイッチ制御回路に出力し、また、
前記検出部によって前記接地電位が検出されており、かつ前記外部電源の電圧が予め定められた電圧閾値以上でない場合に、前記バッテリ側スイッチをオンにする決定を前記スイッチ制御回路に出力することを特徴とする電源制御方法。
【請求項６】
測定の開始や終了の指示を含む各種の測定に関する制御を行う制御部（２４）を備えた制御モジュール（２）と、
各筺体（２０，３０）に露出するように設けられたコネクタ部（２５，３５ａ）を介して、前記制御モジュールにコネクタ接続され、前記制御部の制御に基づいて所望の測定を行う測定部（３００）を備えた少なくとも１つの測定モジュール（３）と、
各筺体（３０，４０）に露出するように設けられたコネクタ部（３５ｂ，４３）を介して、前記測定モジュールにコネクタ接続され、前記制御モジュールおよび前記測定モジュールの各部に電源を供給する電源部（４００）と、前記電源部を制御する電源制御装置（４４，４５，４６）と、を備えた電源モジュール（４）と、を有する測定装置（１）であって、
前記電源部は、前記筐体（４０）の内部に内蔵されるバッテリ（４１）と、外部電源（４２）とによって構成され、
前記電源制御装置は、
前記制御モジュールの接地電位を検出する検出部（４５ａ）と、
前記検出部によって前記接地電位が検出されたか否かに基づいて、前記電源部からの前記電源の供給のオン／オフを切り換えるスイッチ回路（４４）と、
前記検出部によって前記接地電位が検出されたことに基づいて、前記スイッチ回路のオフからオンへの切り換えを所定の時間だけ遅らせる遅延部（４６）と、を備え、
前記スイッチ回路は、
前記制御モジュールおよび前記測定モジュールの各部への前記バッテリからの前記電源の供給のオン／オフを切り換えるバッテリ側スイッチ（４４ａ）と、
前記制御モジュールおよび前記測定モジュールの各部への前記外部電源からの前記電源の供給のオン／オフを切り換える外部電源側スイッチ（４４ｂ）と、
前記バッテリ側スイッチおよび前記外部電源側スイッチのオン／オフを決定する優先電圧判定部（４４ｄ）と、
前記優先電圧判定部の決定に基づいて、前記バッテリ側スイッチおよび前記外部電源側スイッチのオン／オフを制御するスイッチ制御回路（４４ｃ）と、を有し、
前記優先電圧判定部は、
前記検出部によって前記接地電位が検出されていない場合に、前記バッテリ側スイッチおよび前記外部電源側スイッチを共にオフにする決定を前記スイッチ制御回路に出力し、また、
前記検出部によって前記接地電位が検出されており、かつ前記外部電源の電圧が予め定められた電圧閾値以上である場合に、前記外部電源側スイッチをオンにする決定を前記スイッチ制御回路に出力し、また、
前記検出部によって前記接地電位が検出されており、かつ前記外部電源の電圧が予め定められた電圧閾値以上でない場合に、前記バッテリ側スイッチをオンにする決定を前記スイッチ制御回路に出力することを特徴とする測定装置。
【発明の詳細な説明】
【技術分野】
【０００１】
本発明は、インターネットなどのネットワーク試験装置、より具体的には、イーサネット（登録商標）の性能試験などに用いられるイーサネット測定器において、制御モジュールおよびこれに選択的に接続された測定モジュールに対して、電源モジュールから必要な電源を供給するための電源制御装置および電源制御方法ならびに測定装置に関する。
【背景技術】
【０００２】
従来、インターネット用の中継器やスイッチまたはルータといったネットワーク機器（被試験装置）の性能試験などを行うものとして、ネットワーク試験装置が知られている。このネットワーク試験装置は、専ら、被試験装置の開発時や運用中のトラブル発生時またはインターネットの開通時などに、例えばユーザによって用いられる。
【０００３】
この種のネットワーク試験装置において、イーサネットなどのネットワークに関する各種の測定を、携帯して移動しながら実施することができる携帯型測定器が既に提案されている（例えば、特許文献１参照）。
【０００４】
この文献１に記載の携帯型測定器は、周波数帯や通信規格（例えば、ＧＳＭ（登録商標）やＷ−ＣＤＭＡなど）ごとに複数の測定ユニットが予め用意され、測定に必要な１つまたは複数の測定ユニットだけを選択的に接続することができ、必要としない測定ユニットは携帯しなくてもすむように構成されている。
【先行技術文献】
【特許文献】
【０００５】
【特許文献１】特開２０１０−２５８６３号公報
【発明の概要】
【発明が解決しようとする課題】
【０００６】
しかしながら、上記した従来の携帯型測定器は、共有ユニット、測定ユニット、バッテリユニットの順に連結した状態で各ユニット間がコネクタ部によってコネクタ接続されることにより、共有ユニットおよび測定ユニットに対してバッテリユニットから電源の供給が行われる構成のため、バッテリユニットからの電源の供給が行われたまま測定ユニットの交換などが行われると、ショートなどの事故につながるという懸念があった。
【０００７】
すなわち、測定などに必要な全ての電源がバッテリユニットから供給される従来の携帯型測定器の場合、測定ユニットの交換は、バッテリユニットからの電源の供給をオフした状態で行うのが望ましい。例えば、バッテリユニットからの電源の供給が行われた状態でユニット間のコネクタ接続を解除すると、コネクタ部は、電圧がかかったままむき出しの状態となる。
【０００８】
上記した従来の携帯型測定器は、必ずしも携帯型測定器の取り扱いに熟練したユーザだけが使用するとは限らないため、むき出しのコネクタ部に誤って触れたり、金属片が接触したりすることによるショートなど、測定器を故障させる危険性があった。
【０００９】
バッテリユニットは、内蔵するスイッチ回路によってバッテリと外部電源との切り換えが瞬断なく行えるようになっており、特に、外部電源の場合にはコンセントからプラグを抜くことで電源の供給を確実にオフできる。ところが、バッテリの場合は常に電源の供給がなされるため、共有ユニットの電源ボタンをオフしても、バッテリユニットが接続されている限り、ショートなどが測定器を故障させる可能性がある。
【００１０】
ここで、測定器では、動作中の移動時や停電時に機器の状態を保存しておく必要から、バッテリユニットが供給する電源を待機電源としても兼用している。すなわち、常時、バッテリユニットから電源が供給されるようにすることで、共有ユニットをすばやく起動させることが可能となっている。
【００１１】
特に、各ユニットが独立している構成では、共有ユニット内に設けられる起動オン／オフ制御用の電源としても使用されるため、電源の常時供給が必要となる。
【００１２】
本発明は、このような電源の供給中に、測定ユニットの交換を行う場合にショートによって測定器が故障するのを防ぐためになされたものである。すなわち、バッテリユニットが内蔵するスイッチ回路の一部に簡易な部品を組み合わせることにより、大掛かりな構成や特殊な部品を用いることなく、工夫により、小規模な回路構成で実現可能であり、コストの上昇をも抑制できるようにしている。
【００１３】
また、近年の被試験装置の多様化やネットワークの高速化などに伴い、携帯型測定器における電源は大型化（例えば、１６Ｖ，４０Ａ）しており、ショートによる測定器の発火や火災の危険性、また、バッテリそれ自体もショートによる発火や火災の可能性があるなど、ますます測定ユニットの交換には注意が必要となる。
【００１４】
本発明は、上述のような課題に鑑みてなされたものであり、各モジュール間のコネクタ接続が確認されるまでは電源モジュールからの電源の供給をオフでき、制御モジュールと電源モジュールとの間にコネクタ接続される測定モジュールを安全に交換することができる電源制御装置および電源制御方法ならびに測定装置を提供することを目的とする。
【課題を解決するための手段】
【００１５】
本発明の請求項１に係る電源制御装置（４４，４５，４６）は、測定の開始や終了の指示を含む各種の測定に関する制御を行う制御部（２４）を備えた制御モジュール（２）に対して、各筺体（２０，３０）に露出するように設けられたコネクタ部（２５，３５ａ）を介して、前記制御部の制御に基づいて所望の測定を行う測定部（３００）を備えた少なくとも１つの測定モジュール（３）がコネクタ接続されるとともに、各筺体（３０，４０）に露出するように設けられたコネクタ部（３５ｂ，４３）を介して、前記測定モジュールにコネクタ接続される電源モジュール（４）の電源部（４００）より、前記制御モジュールおよび前記測定モジュールの各部に電源を供給するための電源制御装置（４４，４５，４６）であって、前記電源部は、前記筐体（４０）の内部に内蔵されるバッテリ（４１）と、外部電源（４２）とによって構成され、前記電源制御装置は、前記制御モジュールの接地電位を検出する検出部（４５ａ）と、前記検出部によって前記接地電位が検出されたか否かに基づいて、前記電源部からの前記電源の供給のオン／オフを切り換えるスイッチ回路（４４）と、前記検出部によって前記接地電位が検出されたことに基づいて、前記スイッチ回路のオフからオンへの切り換えを所定の時間だけ遅らせる遅延部（４６）と、を備え、前記スイッチ回路は、前記制御モジュールおよび前記測定モジュールの各部への前記バッテリからの前記電源の供給のオン／オフを切り換えるバッテリ側スイッチ（４４ａ）と、前記制御モジュールおよび前記測定モジュールの各部への前記外部電源からの前記電源の供給のオン／オフを切り換える外部電源側スイッチ（４４ｂ）と、前記バッテリ側スイッチおよび前記外部電源側スイッチのオン／オフを決定する優先電圧判定部（４４ｄ）と、前記優先電圧判定部の決定に基づいて、前記バッテリ側スイッチおよび前記外部電源側スイッチのオン／オフを制御するスイッチ制御回路（４４ｃ）と、を有し、前記優先電圧判定部は、前記検出部によって前記接地電位が検出されていない場合に、前記バッテリ側スイッチおよび前記外部電源側スイッチを共にオフにする決定を前記スイッチ制御回路に出力し、また、前記検出部によって前記接地電位が検出されており、かつ前記外部電源の電圧が予め定められた電圧閾値以上である場合に、前記外部電源側スイッチをオンにする決定を前記スイッチ制御回路に出力し、また、前記検出部によって前記接地電位が検出されており、かつ前記外部電源の電圧が予め定められた電圧閾値以上でない場合に、前記バッテリ側スイッチをオンにする決定を前記スイッチ制御回路に出力することを特徴とする。
【００１６】
この構成により、本発明の請求項１に係る電源制御装置は、検出部によって制御モジュールの接地電位が検出された場合に、遅延部により所定の時間だけ遅らせて、スイッチ回路のオフからオンへの切り換えを行うようにしたので、各モジュール間のコネクタ接続が確認されるまでは電源モジュールの電源部から電源が供給されるのを確実に防止できる。
本発明の請求項２に係る電源制御装置においては、前記制御モジュールは、測定者が前記電圧閾値を設定するための操作部（２１）を有することを特徴とする。
本発明の請求項３に係る電源制御装置においては、前記電圧閾値が前記電源モジュールに保持されることを特徴とする。
本発明の請求項４に係る電源制御装置においては、前記コネクタ部は、１２０ピンを有するコネクタであることを特徴とする。
【００１７】
本発明の請求項５に係る電源制御方法は、測定の開始や終了の指示を含む各種の測定に関する制御を行う制御部（２４）を備えた制御モジュール（２）に対して、各筺体（２０，３０）に露出するように設けられたコネクタ部（２５，３５ａ）を介して、前記制御部の制御に基づいて所望の測定を行う測定部（３００）を備えた少なくとも１つの測定モジュール（３）がコネクタ接続されるとともに、各筺体（３０，４０）に露出するように設けられたコネクタ部（３５ｂ，４３）を介して、前記測定モジュールにコネクタ接続される電源モジュール（４）の電源部（４００）より、前記制御モジュールおよび前記測定モジュールの各部に電源を供給する場合であって、前記電源部は、前記筐体（４０）の内部に内蔵されるバッテリ（４１）と、外部電源（４２）とによって構成され、前記電源制御装置は、前記制御モジュールの接地電位を検出部（４５ａ）によって検出し、前記接地電位が検出されたか否かに基づいて、前記電源部からの前記電源の供給のオン／オフを切り換えるスイッチ回路（４４）を制御するとともに、前記接地電位が検出されたことに基づいて、前記スイッチ回路のオフからオンへの切り換えを遅延部（４６）により所定の時間だけ遅らせ、前記スイッチ回路は、前記制御モジュールおよび前記測定モジュールの各部への前記バッテリからの前記電源の供給のオン／オフをバッテリ側スイッチ（４４ａ）によって切り換え、前記制御モジュールおよび前記測定モジュールの各部への前記外部電源からの前記電源の供給のオン／オフを外部電源側スイッチ（４４ｂ）によって切り換え、前記バッテリ側スイッチおよび前記外部電源側スイッチのオン／オフを優先電圧判定部（４４ｄ）によって決定し、前記優先電圧判定部の決定に基づいて、前記バッテリ側スイッチおよび前記外部電源側スイッチのオン／オフをスイッチ制御回路（４４ｃ）によって制御し、前記優先電圧判定部は、前記検出部によって前記接地電位が検出されていない場合に、前記バッテリ側スイッチおよび前記外部電源側スイッチを共にオフにする決定を前記スイッチ制御回路に出力し、また、前記検出部によって前記接地電位が検出されており、かつ前記外部電源の電圧が予め定められた電圧閾値以上である場合に、前記外部電源側スイッチをオンにする決定を前記スイッチ制御回路に出力し、また、前記検出部によって前記接地電位が検出されており、かつ前記外部電源の電圧が予め定められた電圧閾値以上でない場合に、前記バッテリ側スイッチをオンにする決定を前記スイッチ制御回路に出力することを特徴とする。
【００１８】
この構成により、本発明の請求項５に係る電源制御方法は、検出部によって制御モジュールの接地電位が検出された場合に、遅延部により所定の時間だけ遅らせて、スイッチ回路のオフからオンへの切り換えを行うようにしたので、各モジュール間のコネクタ接続が確認されるまでは電源モジュールの電源部から電源が供給されるのを確実に防止できる。
【００１９】
本発明の請求項６に係る測定装置（１）は、測定の開始や終了の指示を含む各種の測定に関する制御を行う制御部（２４）を備えた制御モジュール（２）と、各筺体（２０，３０）に露出するように設けられたコネクタ部（２５，３５ａ）を介して、前記制御モジュールにコネクタ接続され、前記制御部の制御に基づいて所望の測定を行う測定部（３００）を備えた少なくとも１つの測定モジュール（３）と、各筺体（３０，４０）に露出するように設けられたコネクタ部（３５ｂ，４３）を介して、前記測定モジュールにコネクタ接続され、前記制御モジュールおよび前記測定モジュールの各部に電源を供給する電源部（４００）と、前記電源部を制御する電源制御装置（４４，４５，４６）と、を備えた電源モジュール（４）と、を有するものであって、前記電源部は、前記筐体（４０）の内部に内蔵されるバッテリ（４１）と、外部電源（４２）とによって構成され、前記電源制御装置は、前記制御モジュールの接地電位を検出する検出部（４５ａ）と、前記検出部によって前記接地電位が検出されたか否かに基づいて、前記電源部からの前記電源の供給のオン／オフを切り換えるスイッチ回路（４４）と、前記検出部によって前記接地電位が検出されたことに基づいて、前記スイッチ回路のオフからオンへの切り換えを所定の時間だけ遅らせる遅延部（４６）と、を備え、前記スイッチ回路は、前記制御モジュールおよび前記測定モジュールの各部への前記バッテリからの前記電源の供給のオン／オフを切り換えるバッテリ側スイッチ（４４ａ）と、前記制御モジュールおよび前記測定モジュールの各部への前記外部電源からの前記電源の供給のオン／オフを切り換える外部電源側スイッチ（４４ｂ）と、前記バッテリ側スイッチおよび前記外部電源側スイッチのオン／オフを決定する優先電圧判定部（４４ｄ）と、前記優先電圧判定部の決定に基づいて、前記バッテリ側スイッチおよび前記外部電源側スイッチのオン／オフを制御するスイッチ制御回路（４４ｃ）と、を有し、前記優先電圧判定部は、前記検出部によって前記接地電位が検出されていない場合に、前記バッテリ側スイッチおよび前記外部電源側スイッチを共にオフにする決定を前記スイッチ制御回路に出力し、また、前記検出部によって前記接地電位が検出されており、かつ前記外部電源の電圧が予め定められた電圧閾値以上である場合に、前記外部電源側スイッチをオンにする決定を前記スイッチ制御回路に出力し、また、前記検出部によって前記接地電位が検出されており、かつ前記外部電源の電圧が予め定められた電圧閾値以上でない場合に、前記バッテリ側スイッチをオンにする決定を前記スイッチ制御回路に出力することを特徴とする。
【００２０】
この構成により、本発明の請求項６に係る測定装置は、検出部によって制御モジュールの接地電位が検出された場合に、遅延部により所定の時間だけ遅らせて、スイッチ回路のオフからオンへの切り換えを行うようにしたので、各モジュール間のコネクタ接続が確認されるまでは電源モジュールの電源部から電源が供給されるのを確実に防止できる。
【発明の効果】
【００２１】
本発明は、各モジュール間のコネクタ接続が確認されるまでは電源モジュールからの電源の供給をオフでき、制御モジュールと電源モジュールとの間にコネクタ接続される測定モジュールを安全に交換することができる電源制御装置および電源制御方法ならびに測定装置を提供することができる。
【図面の簡単な説明】
【００２２】
【図１】本発明の実施の形態に係るイーサネット測定器の概略斜視図である。
【図２】本発明の実施の形態に係るイーサネット測定器の共有ユニットの概略構成を示すブロック図である。
【図３】本発明の実施の形態に係るイーサネット測定器の測定ユニットの概略構成を示すブロック図である。
【図４】本発明の実施の形態に係るイーサネット測定器の電源ユニットの概略構成を示すブロック図である。
【図５】本発明の実施の形態に係るイーサネット測定器の概略図であって、（ａ）〜（ｃ）はユニット間の連結構造を示す側面図である。
【図６】本発明の実施の形態に係るイーサネット測定器の連結構造を維持するための構成について測定ユニットを例に示す斜視図である。
【図７】本発明の実施の形態に係るイーサネット測定器の電源ユニットの回路構成例を示すブロック図である。
【発明を実施するための形態】
【００２３】
以下、本発明の実施の形態について、図面を参照して説明する。ここでは、インターネットにおける中継器やスイッチまたはルータといったネットワーク機器（被試験装置）の性能試験などを行うネットワーク試験装置（測定装置）として、対応レートが４０Ｇ／１００Ｇの高速イーサネットにおいて、ユーザなどの使用者（測定者）が携帯しながら所望の測定（ＤＵＴ（Device Under Test））を行う携帯型のイーサネット測定器を例に説明する。
【００２４】
図１は、本実施の形態に係るイーサネット測定器１の概略構成を示す斜視図である。
【００２５】
図１に示すように、携帯型測定器としてのイーサネット測定器１は、単一の共有ユニット（制御モジュール）２と、選択的に用いられる少なくとも１個の測定ユニット（測定モジュール）３と、単一の電源ユニット（電源モジュール）４と、を備えて構成される。このイーサネット測定器１は、後述するように、共有ユニット２、測定ユニット３、電源ユニット４の順に連結され、その状態で、各ユニット２，３，４間をコネクタ接続して使用される。
【００２６】
例えば、本実施の形態において、各ユニット２，３，４間をコネクタ接続するコネクタとしては、それぞれ、１２０ピン（プラグ）を有するコネクタが２セットずつ用いられている。
【００２７】
このイーサネット測定器１は、コネクタ接続された測定ユニット３に対応した所望の測定を、測定者が携帯して移動しながら実施するものであるので、測定に必要としない測定ユニットを携帯しなくてもすむなど、測定をより簡便なものとすることができる。
【００２８】
次に、各ユニット２，３，４の構成について説明する。
【００２９】
図２は、本実施の形態に係るイーサネット測定器１の共有ユニット２の概略構成を示すブロック図である。
【００３０】
図２に示すように、共有ユニット２は、略直方体の形状をなす筐体２０を有し、該筺体２０には、操作部２１、表示部２２、外部制御用ＩＦ部２３、制御部２４、および、共有側コネクタ（コネクタ部）２５が設けられている。
【００３１】
操作部２１および表示部２２は、主操作面となる筺体２０の正面２０ａ側（図１参照）に配置され、共有側コネクタ２５は、該正面２０ａに対向する筺体２０の背面２０ｂ側（図５参照）に配置されている。
【００３２】
また、筺体２０の背面２０ｂ側には、図５（ａ）に示すように、測定ユニット３をコネクタ接続する際の位置決め用の第１ガイドピン３６ａが挿入される第１ガイド穴２６などが設けられている。
【００３３】
操作部２１は、筺体２０の正面２０ａに配置され、例えば、測定ユニット３による所望の測定の開始や停止、測定間隔などの測定条件の設定など、測定者が所望の測定に関する種々の操作を行う操作ボタンなどを有して構成される。また、操作部２１は、電源ボタン２１ａを含んでいる（図１参照）。
【００３４】
ただし、上記した操作部２１は必須の構成要素ではなく、外部制御用ＩＦ部２３を介して接続された端末装置（図示せず）などから、所望の測定に関する種々の操作を行うようにしてもよい。
【００３５】
表示部２２は、例えば筺体２０の正面２０ａより露出する液晶表示器などにより構成され、操作部２１による所望の測定に関する種々の操作情報や測定ユニット３による測定結果（ＤＵＴ出力信号）など、所望の測定に関する数々の表示を行うようになっている。
【００３６】
なお、表示部２２は、測定ユニット３が所望の測定を実行中であるか否かを、例えば点灯や点滅または色分けなどにより表示するＬＥＤなどを含むものである。
【００３７】
ただし、上記した表示部２２は必須の構成要素ではなく、外部制御用ＩＦ部２３を介して接続された端末装置（図示せず）などによって、所望の測定結果などの表示を行うようにしてもよい。
【００３８】
外部制御用ＩＦ部２３は、共有ユニット２をイーサネット測定器１の外部の端末装置などと接続するためのもので、所望の測定結果などを端末装置に送出したり、端末装置からの所望の測定に関する種々の操作情報を受け付けたりすることができる。
【００３９】
また、外部トリガを入力信号として取り込むインタフェースをさらに設けて、複数の測定ユニット３を連結した場合に、この外部トリガによって測定ユニット３ごとの時刻同期を図るようにしてもよい。
【００４０】
ただし、上記した外部制御用ＩＦ部２３は必須の構成要素ではなく、省略することも可能である。
【００４１】
制御部２４は、上記の各部（２１，２２，２３，２５）を構成する要素を制御するもので、共有ユニット２にコネクタ接続された測定ユニット３に対する測定の開始や終了の指示または測定条件などの設定の指示を行う機能、共有ユニット２にコネクタ接続された測定ユニット３による測定結果などを収集して記憶媒体（図示せず）に記憶させる機能、および、表示部２２に測定結果などを表示させる機能など、所望の測定に関する諸々の制御を行うようになっている。
【００４２】
また、制御部２４は、複数の測定ユニット３を連結した場合に、各測定ユニット３に割り振られたアドレスによって各測定ユニット３を識別する機能、および、測定ユニット３の測定プログラムを更新する機能などに関する制御も行うようになっている。
【００４３】
なお、イーサネット測定器１は、外部制御用ＩＦ部２３を介して共有ユニット２に端末装置などを接続し、測定結果をもとにさらに詳細な解析を行ったり、記憶媒体を取り出して別の装置で測定結果を解析したりすることも可能である。
【００４４】
また、共有ユニット２は、コネクタ接続されている測定ユニット３に対し、測定の開始や終了または測定条件などを指示できるようにしているが、測定プログラムは有しておらず、実際の測定プログラムは測定ユニット３内に存在する。
【００４５】
共有側コネクタ２５は、共有ユニット２に測定ユニット３を連結したときに、測定ユニット３の後述する測定側第１コネクタ３５ａと嵌合し、共有ユニット２と測定ユニット３とをコネクタ接続するようになっている。共有側コネクタ２５は、操作部２１や表示部２２が配置される筺体２０の正面２０ａとは反対側の背面２０ｂ側に、筺体２０の厚み方向に一部が突出するようにして設けられている。
【００４６】
本実施の形態においては、共有側コネクタ２５の特定のピンがグランド（接地電位）ＧＮＤと接続されており、この特定のピンには、後述するコネクタ保護回路４５の信号線が接続されるようになっている。
【００４７】
第１ガイド穴２６は、例えば、共有ユニット２の背面２０ｂ側の両サイドにおける上下方向の略中心にそれぞれ配置されている。
【００４８】
本実施の形態において、第１ガイド穴２６は略円状の浅い連結用溝により構成され、共有ユニット２と測定ユニット３とを連結するときに、測定ユニット３の第１ガイドピン３６ａが係合される。
【００４９】
図３は、本実施の形態に係るイーサネット測定器１の測定ユニット３の概略構成を示すブロック図である。
【００５０】
図３に示すように、測定ユニット３は、例えば４０Ｇ／１００Ｇの高速イーサネットにおける中継器やスイッチまたはルータといった被試験装置に対して性能試験などの所望の測定を実施するものであり、共有ユニット２の筐体２０と略同一形状の筐体３０内に、バス制御部３１、記憶部３２、受信部３３、測定制御部３４、および、コネクタ部としての測定側コネクタ３５（３５ａ，３５ｂ）が設けられている。
【００５１】
本実施の形態においては、記憶部３２と受信部３３と測定制御部３４とによって測定部３００が構成されている。
【００５２】
測定側コネクタ３５のうち、一方の測定側第１コネクタ３５ａは、共有ユニット２の筺体２０の背面２０ｂに対向する側の、筺体３０の正面３０ａ側に配置され、他方の測定側第２コネクタ３５ｂは、該正面３０ａに対向する、筺体３０の背面３０ｂ側に配置されている（図５参照）。
【００５３】
また、筺体３０の正面３０ａ側には、図５（ｂ）および図６（ａ）に示すように、共有ユニット２とコネクタ接続する際の位置決め用の第１ガイドピン３６ａなどが設けられている。筺体３０の背面３０ｂ側には、図５（ｂ）および図６（ｂ）に示すように、電源ユニット４をコネクタ接続する際の位置決め用の第２ガイドピン４７が挿入される第２ガイド穴３６ｂなどが設けられている。
【００５４】
本実施の形態においては、共有ユニット２の第１ガイド穴２６と測定ユニット３の第１ガイドピン３６ａとによって、共有／測定側連結部材が構成されている。
【００５５】
バス制御部３１は、測定制御部３４の制御により、データおよびコマンドの伝送路と電力の供給路とを兼ねた測定側の共通バスを制御する。
【００５６】
記憶部３２は、測定制御部３４によって制御され、所望の測定に応じた１つまたは複数の測定プログラム、バス制御部３１の制御により送受信されるデータやコマンド、および、受信部３３が受信したＤＵＴ出力信号などを記憶している。
【００５７】
受信部３３は、測定制御部３４の制御により、被試験装置からのＤＵＴ出力信号などを受信する。
【００５８】
測定制御部３４は、上記の各部（３１，３２，３３）を構成する要素を制御するもので、共有ユニット２から共通バスを介して測定の開始の指示があったときに、記憶部３２に記憶された測定プログラムにしたがって、独立して所望の測定を実行するように受信部３３を制御する。
【００５９】
また、測定制御部３４は、バス制御部３１を介して測定結果などを共通バスに出力する機能を有している。
【００６０】
測定側コネクタ３５は、回路基板に設けられる測定側第１コネクタ３５ａと測定側第２コネクタ３５ｂとから構成され、測定側第１コネクタ３５ａおよび測定側第２コネクタ３５ｂ間は上記共通バスを介して相互に接続されている。
【００６１】
測定側第１コネクタ３５ａは、共有ユニット２と測定ユニット３とを連結したときに、共有ユニット２の共有側コネクタ２５と嵌合してコネクタ接続されるように、筐体３０の正面３０ａ側の所定の位置に露出するようにして設けられている。
【００６２】
測定側第２コネクタ３５ｂは、電源ユニット４を連結するときに用いられるもので、該電源ユニット４におけるコネクタ部としての電源側コネクタ４３（図４参照）と嵌合してコネクタ接続される。また、測定側第２コネクタ３５ｂは、図示せぬ他の測定ユニットを連結するときにも用いられる。
【００６３】
第１ガイドピン３６ａは、例えば、測定ユニット３の正面３０ａ側の両サイドにおける上下方向の略中心にそれぞれ配置されている。
【００６４】
本実施の形態において、第１ガイドピン３６ａは略円柱状の短い連結用突起により構成され、共有ユニット２と測定ユニット３とを連結するときに、共有ユニット２の第１ガイド穴２６に係合される。
【００６５】
第２ガイド穴３６ｂは、例えば、測定ユニット３の背面３０ｂ側の両サイドにおける上下方向の略中心にそれぞれ配置されている。
【００６６】
本実施の形態において、第２ガイド穴３６ｂは略円状の浅い連結用溝により構成され、測定ユニット３と電源ユニット４とを連結するときに、電源ユニット４の第２ガイドピン４７が係合される。
【００６７】
ここで、測定ユニット３を共有ユニット２と連結するときには、当該測定ユニット３の第１ガイドピン３６ａが共有ユニット２の第１ガイド穴２６に係合され、測定ユニット３と共有ユニット２との位置決めが行われる。測定ユニット３を他の測定ユニット３と連結するときには、当該測定ユニット３の第１ガイドピン３６ａが他の測定ユニット３の第２ガイド穴３６ｂに係合され、測定ユニット３，３間の位置決めが行われる。
【００６８】
また、測定ユニット３と電源ユニット４とを連結するときには、測定ユニット３の第２ガイド穴３６ｂに、電源ユニット４の第２ガイドピン４７が係合され、測定ユニット３と電源ユニット４との位置決めが行われる。
【００６９】
測定ユニット３は、例えば、被試験装置や測定の種類またはイーサネットの周波数帯や通信規格などごとに、複数のユニットが予め用意される。
【００７０】
なお、測定ユニット３は、例えば、スペクトラムアナライザ、ＯＴＤＲ（光パルス試験器）、または、ガス濃度測定装置などの機能を有するものであってもよい。
【００７１】
図４は、本実施の形態に係るイーサネット測定器１の電源ユニット４の概略構成を示すブロック図である。
【００７２】
図４に示すように、電源ユニット４は、共有ユニット２の筐体２０や測定ユニット３の筐体３０と略同一形状の筐体４０内に、バッテリ４１、外部電源（ＡＣ電源）４２、電源側コネクタ４３、スイッチ回路４４、および、コネクタ保護回路４５が設けられている。コネクタ保護回路４５は、遅延部としての遅延回路部４６を備えている。
【００７３】
本実施の形態においては、バッテリ４１と外部電源４２とによって電源部４００が構成されている。電源部４００からは、電源として、例えば１６Ｖ，４０Ａの電力が供給される。また、スイッチ回路４４とコネクタ保護回路４５とによって電源制御装置が構成されている。
【００７４】
電源側コネクタ４３は、筺体４０の正面４０ａ側に配置され、測定ユニット３との連結時には、測定側コネクタ３５の測定側第２コネクタ３５ｂと嵌合されてコネクタ接続される。
【００７５】
バッテリ４１は、例えば筐体４０の内部に交換可能に内蔵されるバッテリパックによって構成される。
【００７６】
外部電源４２は、外部のＡＣ電源を共有ユニット２や測定ユニット３の各部に供給したり、バッテリ４１を充電するために用いられる。
【００７７】
電源側コネクタ４３は、測定ユニット３と連結したときには測定側コネクタ３５の測定側第２コネクタ３５ｂと嵌合してコネクタ接続されるように、正面４０ａ側の所定の位置に露出するように設けられている。
【００７８】
スイッチ回路４４は、バッテリ４１と外部電源４２との切り換えを行うもので、そのオン／オフの切り換えがコネクタ保護回路４５からの制御信号によって制御される。
【００７９】
本実施の形態においては、共有ユニット２および測定ユニット３に対する電源部４００からの電源の供給時（オン時）には、スイッチ回路４４の可動接片が、バッテリ４１または外部電源４２の一方の固定接点と接触するように制御される。逆に、オフ時には、スイッチ回路４４の可動接片が、バッテリ４１および外部電源４２の両方の固定接点と接触しない（オフする）ように制御される。なお、スイッチ回路４４の詳細については、後述する。
【００８０】
コネクタ保護回路４５は、電源ユニット４が測定ユニット３にコネクタ接続されたことに伴い、信号線が共有ユニット２のグランドＧＮＤに接続されたか否かに応じて、スイッチ回路４４を制御するための制御信号を生成するものである。本実施の形態において、コネクタ保護回路４５は、信号線が共有ユニット２のグランドＧＮＤに接続されたことを検出できた場合に、電源部４００から電源を供給（オン）させるための制御信号をスイッチ回路４４に出力する。また、コネクタ保護回路４５は、信号線のグランドＧＮＤとの接続が解除（オフ）されていることを検出した場合には、電源部４００からの電源の供給をオフ（停止）させるための制御信号をスイッチ回路４４に出力する。
【００８１】
なお、コネクタ保護回路４５は遅延回路部４６を有しており、オン時、電源部４００からの電源の供給を所定の時間だけ遅延させるようになっている。この遅延回路部４６を含め、コネクタ保護回路４５の詳細については後述する。
【００８２】
また、筺体４０の正面４０ａ側には、図５（ａ）に示すように、測定ユニット３とコネクタ接続する際の位置決め用の第２ガイドピン４７などが設けられている。第２ガイドピン４７は、例えば、電源ユニット４の正面４０ａ側の両サイドにおける上下方向の略中心にそれぞれ配置されている。
【００８３】
本実施の形態において、第２ガイドピン４７は略円柱状の短い連結用突起により構成され、電源ユニット４と測定ユニット３とを連結するときに、測定ユニット３の第２ガイド穴３６ｂに係合される。
【００８４】
本実施の形態においては、測定ユニット３の第２ガイド穴３６ｂと電源ユニット４の第２ガイドピン４７とによって、電源／測定側連結部材が構成されている。
【００８５】
一方、筺体４０の背面４０ｂ側には、例えば、固定用ネジを挿入するための挿入口が設けられている（図示せず）。
【００８６】
なお、上述した各ユニット２，３，４の筐体２０，３０，４０は、略同一の形状（高さおよび横幅）を有するものであり、高さや横幅が若干大きいものや若干小さいものも含み、厚みのみ異なっていてもよい。
【００８７】
上記した構成のイーサネット測定器１では、共有ユニット２、測定に必要な１つまたは複数の測定ユニット３、および、電源ユニット４の順に連結した状態で、各ユニット２，３，４間がコネクタ接続され、動作や制御に必要な全ての電源は電源ユニット４より供給される。
【００８８】
特に、電源ユニット４にバッテリ４１を搭載したことにより、たとえ外部電源４２を利用できないときでも、携帯型のイーサネット測定器１は、携帯して移動しながら所望の測定を行うことができる。
【００８９】
ここで、各ユニット２，３，４間の連結時の位置決めは、各ユニット２，３，４が備える連結部材間の係合によって実現される。
【００９０】
本実施の形態では、円柱状の連結用突起（第１，第２ガイドピン３６ａ，４７）と、この円柱状の連結用突起が係合される略円状の連結用溝（第１，第２ガイド穴２６，３６ｂ）と、の組み合わせによって連結構造を実現している。
【００９１】
また、各ユニット２，３，４間のコネクタ接続構造は、上述した連結構造によって各ユニット２，３，４間を連結した状態において、対向する各コネクタ２５，３５，４３の相互を嵌合することにより実現される。
【００９２】
図５（ａ）〜（ｃ）は、ユニット２，３，４間の連結構造を例に、本実施の形態に係るイーサネット測定器１の構成を示す概略図である。
【００９３】
まず、図５（ａ），（ｂ）に示すように、例えば、共有ユニット２に対して測定ユニット３を連結する場合には、共有ユニット２の背面２０ｂに対して測定ユニット３の正面３０ａが所定の位置となるように、測定ユニット３を共有ユニット２に近づけながら移動させ、共有ユニット２の第１ガイド穴２６に測定ユニット３の第１ガイドピン３６ａを係合させる。
【００９４】
これにより、測定側第１コネクタ３５ａと共有側コネクタ２５とが嵌合して相互をコネクタ接続させることにより、共有ユニット２および測定ユニット３間が連結される。
【００９５】
同様に、図５（ｂ），（ｃ）に示すように、例えば、測定ユニット３に対して電源ユニット４を連結する場合には、測定ユニット３の背面３０ｂに対して電源ユニット４の正面４０ａが所定の位置となるように、電源ユニット４を測定ユニット３に近づけながら移動させ、測定ユニット３の第２ガイド穴３６ｂに電源ユニット４の第２ガイドピン４７を係合させる。
【００９６】
これにより、測定側第２コネクタ３５ｂと電源側コネクタ４３とが嵌合して相互をコネクタ接続させることにより、測定ユニット３および電源ユニット４間が連結される。
【００９７】
このように、両ユニット２，３間のコネクタ２５，３５ａを嵌合させる際には、コネクタ２５，３５ａの位置合わせを行う必要がなく、また、両ユニット３，４間のコネクタ３５ｂ，４３を嵌合させる際には、コネクタ３５ｂ，４３の位置合わせを行う必要がないので、使いやすく、かつ、コネクタ２５，３５，４３の破損も防止できる。
【００９８】
特に、コネクタ２５，３５，４３間の嵌合を解く際には、必ずコネクタ２５，３５，４３の嵌合方向と略同一方向から力が加わることになるので、コネクタ２５，３５，４３のねじれを防止することができる。
【００９９】
ここで、各ユニット２，３，４間の連結構造の維持は、図示せぬ固定用ネジによって実現されるようになっている。
【０１００】
図６は、測定ユニット３を例に、連結構造を維持するための構成について説明する。
【０１０１】
図６（ａ），（ｂ）に示すように、測定ユニット３の、例えば筺体３０の四隅には、正面３０ａ側と背面３０ｂ側とをつなぎ、図示せぬ固定用ネジが挿入される貫通孔３７が設けられている。
【０１０２】
同様に、電源ユニット４には、図示していないが、例えば筺体４０の四隅に、正面４０ａ側と背面３０ｂ側とをつなぐ貫通孔が設けられている。また、背面３０ｂ側には、図示せぬ固定用ネジを貫通孔に通すための挿入口が設けられている。
【０１０３】
これに対し、共有ユニット２には、図示していないが、例えば筺体２０の背面２０ｂ側の四隅に、固定用ネジをねじ止めするためのネジ穴が設けられている。
【０１０４】
この構成により、イーサネット測定器１は、各ユニット２，３，４間がコネクタ接続された状態で、固定用ネジにより強固な連結構造が維持される。
【０１０５】
なお、イーサネット測定器１の連結構造を固定用ネジにより維持する方法において、固定用ネジを電源ユニット４側から挿入する場合に限らず、例えば、共有ユニット２側から挿入する構成としてもよい。
【０１０６】
また、各ユニット２，３，４を一括してねじ止めする場合に限らず、ねじ止めは、ユニット単位としてもよい。
【０１０７】
この他、上述した連結構造は、図５の構成に限定されるものではなく、上述した効果を奏する構成であればよい。
【０１０８】
また、本実施の形態においては、測定ユニット３と電源ユニット４との間の連結時およびその解除時に、上記したコネクタ保護回路４５の信号線の、共有ユニット２のグランドＧＮＤとの接続／非接続が検出される。
【０１０９】
次に、電源ユニット４の詳細として、本実施の形態における電源制御装置の構成について説明する。
【０１１０】
図７は、本実施の形態に係るイーサネット測定器１の電源ユニット４の回路構成例を示すブロック図である。
【０１１１】
スイッチ回路４４は、バッテリ側スイッチ４４ａ、外部電源側スイッチ４４ｂ、スイッチ制御回路４４ｃ、優先電圧判定部４４ｄ、バッテリ側電圧比較回路４４ｅ、および、外部電源側電圧比較回路４４ｆを有して構成されている。
【０１１２】
コネクタ保護回路４５は、挿入検出部４５ａ、遅延回路部４６、外部電源側電圧比較用スイッチ４５ｃ、および、バッテリ側電圧比較用スイッチ４５ｂを有して構成されている。
【０１１３】
遅延回路部４６は、電源ユニット４のコネクタ接続をより確実に行わせるとともに、挿入検出部４５ａの後述する検出信号のチャタリングを防止するために、複数、例えば３つのＲＣ遅延回路４６ａ，４６ｂ，４６ｃを有して構成されている。
【０１１４】
スイッチ回路４４において、バッテリ側スイッチ４４ａは、スイッチ制御回路４４ｃの制御によりオンされることによって、電源側コネクタ４３を介して共有ユニット２および測定ユニット３の各部に、バッテリ４１からの電源が供給されるようにするためのスイッチである。
【０１１５】
外部電源側スイッチ４４ｂは、スイッチ制御回路４４ｃの制御によりオンされることによって、電源側コネクタ４３を介して共有ユニット２および測定ユニット３の各部に、外部電源４２からの電源が供給されるようにするためのスイッチである。
【０１１６】
スイッチ制御回路４４ｃは、優先電圧判定部４４ｄの決定に基づいて、バッテリ側スイッチ４４ａおよび外部電源側スイッチ４４ｂのオン／オフを制御するものである。
【０１１７】
優先電圧判定部４４ｄは、バッテリ側電圧比較回路４４ｅの出力信号と外部電源側電圧比較回路４４ｆの出力信号とをモニタし、バッテリ４１または外部電源４２のどちらから電源を供給するかを決定するもので、例えば、外部電源４２の電圧が予め定められた電圧閾値よりも大きい場合（外部電源≧電圧閾値）には、外部電源４２からの電源が優先的に供給されるように指示する決定をスイッチ制御回路４４ｃに出力する。
【０１１８】
また、優先電圧判定部４４ｄは、外部電源４２の電圧が何らかの不具合によって電圧閾値よりも小さくなった場合（外部電源＜電圧閾値）には、バッテリ側スイッチ４４ａをオンさせてバッテリ４１からの電源が供給されるように、スイッチ制御回路４４ｃを制御するようになっている。この動作によって、共有ユニット２および測定ユニット３の各部に対する電源の供給は、負荷によらず、途切れることなしに一定に供給される。
【０１１９】
なお、本実施の形態において、バッテリ４１の電圧を比較する際の目安となるバッテリ用電圧閾値、および、外部電源４２の電圧を比較する際の目安となる外部電源用電圧閾値は、いずれも電源ユニット４の外部で保持されている。例えば、各電圧閾値は、共有ユニット２の操作部２１より測定者によって設定され、または、外部制御用ＩＦ部２３を介して外部より入力されて、制御部２４の図示せぬ格納領域内で保存することなどが可能である。
【０１２０】
また、各電圧閾値は、例えば、電源ユニット４の内部で保持し、共有ユニット２の動作の有無によらずに電圧比較が行える構成としてもよい。
【０１２１】
バッテリ側電圧比較回路４４ｅは、バッテリ側電圧比較用スイッチ４５ｂを介して供給されるバッテリ４１の電圧と予め定められた電圧閾値とを比較し、その比較の結果に応じた出力信号を優先電圧判定部４４ｄに出力する。
【０１２２】
外部電源側電圧比較回路４４ｆは、外部電源側電圧比較用スイッチ４５ｃを介して供給される外部電源４２の電圧と予め定められた電圧閾値とを比較し、その比較の結果に応じた出力信号を優先電圧判定部４４ｄに出力する。
【０１２３】
コネクタ保護回路４５において、バッテリ側電圧比較用スイッチ４５ｂは、遅延回路部４６のＲＣ遅延回路４６ａ，４６ｂによってオン／オフが制御されるものであって、オンの間、バッテリ４１の電圧をバッテリ側電圧比較回路４４ｅに供給する。
【０１２４】
外部電源側電圧比較用スイッチ４５ｃは、遅延回路部４６のＲＣ遅延回路４６ａ，４６ｃによってオン／オフが制御されるものであって、オンの間、外部電源４２の電圧を外部電源側電圧比較回路４４ｆに供給する。
【０１２５】
遅延回路部４６は、挿入検出部４５ａの検出信号をＲＣ遅延回路４６ａ，４６ｂの時定数に応じた所定の遅延時間だけ遅延させるとともに、ＲＣ遅延回路４６ａ，４６ｃの時定数に応じた所定の遅延時間だけ遅延させる。
【０１２６】
なお、遅延回路部４６は、ＲＣ遅延回路４６ａ，４６ｂ，４６ｃに限らず、遅延が得られる他の遅延素子を用いて構成してもよい。
【０１２７】
挿入検出部４５ａは、コネクタ保護回路４５の信号線が共有ユニット２のグランドＧＮＤに接続されているか否かを検出するためのもので、例えば、信号線にグランドＧＮＤが接続されていない場合を開放状態とし、この開放状態時に外部電源４２およびバッテリ４１のいずれかによって信号線に印加される一定電圧が、非開放状態となって低下されたか否かを検出するようになっている。挿入検出部４５ａは、ＦＥＴやトランジスタなどを用いたロジック回路またはオペアンプなどの電圧比較器によって、容易に構成することができる。
【０１２８】
なお、上述の電源制御装置を、外部電源４２の電圧に応じてスイッチ制御回路４４ｃを制御する構成とした場合、バッテリ側電圧比較回路４４ｅ、バッテリ側電圧比較用スイッチ４５ｂ、ＲＣ遅延回路４６ｂ、および、バッテリ用電圧閾値は、省略することも可能である。
【０１２９】
次に、本実施の形態における電源制御装置の動作について、簡単に説明する。
【０１３０】
まず、携帯型のイーサネット測定器１を用いて所望の測定を実行しようとする場合、例えば測定者は、その準備として、実行しようとする測定に応じて予め選択した１つまたは複数の測定ユニット３を共有ユニット２に連結するとともに、共有ユニット２に連結された測定ユニット３にさらに電源ユニット４を連結する。
【０１３１】
測定ユニット３に対して電源ユニット４が連結されると、電源側コネクタ４３、測定側コネクタ３５、および、共有側コネクタ２５を介して、コネクタ保護回路４５の信号線が共有ユニット２のグランドＧＮＤと接続される。
【０１３２】
上述したように、コネクタ保護回路４５の信号線には、予めバッテリ４１または外部電源４２より一定電圧が印加または開放状態とされており、その一定電圧の低下を挿入検出部４５ａによって検出することで、測定ユニット３および共有ユニット２のコネクタ接続を認識できる。
【０１３３】
すなわち、挿入検出部４５ａが、グランドＧＮＤと接続されたことを検出すると、その検出信号に伴って、ＲＣ遅延回路４６ａ，４６ｂを介してバッテリ側電圧比較用スイッチ４５ｂがオンされるとともに、ＲＣ遅延回路４６ａ，４６ｃを介して外部電源側電圧比較用スイッチ４５ｃがオンされる。
【０１３４】
バッテリ側電圧比較用スイッチ４５ｂおよび外部電源側電圧比較用スイッチ４５ｃがオンされると、バッテリ側電圧比較回路４４ｅにおいて、バッテリ４１の電圧とバッテリ用電圧閾値とが比較されるとともに、外部電源側電圧比較回路４４ｆにおいて、外部電源４２の電圧と外部電源用電圧閾値とが比較される。
【０１３５】
そして、各電圧比較回路４４ｅ，４４ｆでの比較の結果が優先電圧判定部４４ｄに供給されることにより、外部電源４２の電圧が外部電源用電圧閾値以上であれば、スイッチ制御回路４４ｃが、常に外部電源４２からの電源が共有ユニット２および測定ユニット３の各部に優先的に供給されるように制御される。すなわち、スイッチ制御回路４４ｃによって、外部電源側スイッチ４４ｂがオンされることにより、外部電源４２からの電源が電源側コネクタ４３、測定側コネクタ３５、および、共有側コネクタ２５を介して、共有ユニット２および測定ユニット３の各部に供給される。
【０１３６】
一方、優先電圧判定部４４ｄにおいて、外部電源４２の電圧が外部電源用電圧閾値以上でなければ、スイッチ制御回路４４ｃが、バッテリ４１からの電源が共有ユニット２および測定ユニット３の各部に供給されるように制御される。すなわち、スイッチ制御回路４４ｃによって、バッテリ側スイッチ４４ａがオンされることにより、バッテリ４１からの電源が電源側コネクタ４３、測定側コネクタ３５、および、共有側コネクタ２５を介して、共有ユニット２および測定ユニット３の各部に供給される。
【０１３７】
こうして、電源ユニット４からの電源が共有ユニット２および測定ユニット３の各部に供給されることにより、携帯型のイーサネット測定器１は、所望の測定を実行することが可能な状態となる。
【０１３８】
以上が、測定開始前の準備時における電源制御装置の一般的な動作である。
【０１３９】
ここで、携帯型のイーサネット測定器１は、実行しようとする所望の測定に応じて測定ユニット３を自由に交換することが可能となっている。ところが、測定ユニット３を交換する場合において、電源ユニット４からの電源が供給されたままの状態で各ユニット２，３，４間のコネクタ接続を解除すると、共有ユニット２側のコネクタ接続を解除した場合には測定ユニット３の測定側コネクタ３５（測定側第１コネクタ３５ａ）を、電源ユニット４側のコネクタ接続を解除した場合には電源側コネクタ４３を、それぞれショートさせる可能性がある。
【０１４０】
特に、コネクタ接続が解除された測定側第１コネクタ３５ａおよび電源側コネクタ４３は、ネットワークの高速化などに対応できるようにするために充分に高い電圧が印加されたままむき出しの状態となるため、非常に危険である。すなわち、電源ユニット４からの電源の供給中に測定ユニット３の交換を行う場合、測定者が忘れずに電源ボタン２１ａをオフすることが基本となるが、厳守される保障はない、つまり、バッテリ４１および外部電源４２の取り外しを測定者が必ず実行するとは限らない。
【０１４１】
また、コネクタピンはデリケートなものであるため、可動式シャッタなどにより保護する構造とすることも可能であるが、携帯型のイーサネット測定器１の場合、小型であることも重要な要件となるので、大型化の要因となる可動式シャッタなどの採用は難しい。
【０１４２】
そこで、本実施の形態においては、測定ユニット３を交換および追加する際には、バッテリ４１および外部電源４２の有無によらず、各ユニット２，３，４間のコネクタ接続が確認されるまで、電源ユニット４からの電源の供給が停止されるようになっている。
【０１４３】
具体的には、各ユニット２，３，４間のいずれかのコネクタ接続が解除されると、共有ユニット２のグランドＧＮＤにつながるコネクタ保護回路４５の信号線が開放状態となって一定電圧まで上昇するので、挿入検出部４５ａによって該信号線の一定電圧が検出されることにより、バッテリ側電圧比較用スイッチ４５ｂおよび外部電源側電圧比較用スイッチ４５ｃがともにオフとなる。その結果、スイッチ回路４４がオフに設定される。
【０１４４】
すなわち、挿入検出部４５ａによって共有ユニット２のグランドＧＮＤとの接続が検出されない場合、バッテリ側電圧比較回路４４ｅにおいて、バッテリ４１の電圧がバッテリ用電圧閾値よりも小さくなる（略０となる）とともに、外部電源側電圧比較回路４４ｆにおいて、外部電源４２の電圧が外部電源用電圧閾値よりも小さくなる（略０となる）。これにより、優先電圧判定部４４ｄによってスイッチ制御回路４４ｃがオフされる。その結果、バッテリ側スイッチ４４ａと外部電源側スイッチ４４ｂとがオフとなり、電源部４００からの電源の供給が停止される。したがって、測定者がイーサネット測定器１の電源ボタン２１ａをオフせずに、各ユニット２，３，４間のコネクタ接続を解除した場合にも、むき出しとなった測定側第１コネクタ３５ａや電源側コネクタ４３に充分に高い電圧が印加されたままとなり、ショートしたりするのを防止できる。
【０１４５】
一方、交換または追加された測定ユニット３が共有ユニット２および電源ユニット４に連結されると、上述したように、挿入検出部４５ａによってコネクタ保護回路４５の信号線が共有ユニット２のグランドＧＮＤと接続されたか否かの検出が行われることにより、電源部４００からの電源の供給が制御される。
【０１４６】
すなわち、挿入検出部４５ａによってコネクタ保護回路４５の信号線の共有ユニット２のグランドＧＮＤとの接続が検出された場合、ＲＣ遅延回路４６ａ，４６ｂを介してバッテリ側電圧比較用スイッチ４５ｂがオンされるとともに、ＲＣ遅延回路４６ａ，４６ｃを介して外部電源側電圧比較用スイッチ４５ｃがオンされる。これにより、外部電源４２の電圧が外部電源用電圧閾値以上であれば、優先電圧判定部４４ｄによって、スイッチ制御回路４４ｃが常に外部電源４２からの電源が共有ユニット２および測定ユニット３の各部に優先的に供給されるように制御される。したがって、外部電源側スイッチ４４ｂがオンされることにより、測定ユニット３の交換または追加から所定の時間を経たタイミングで、外部電源４２からの電源が電源側コネクタ４３、測定側コネクタ３５、および、共有側コネクタ２５を介して、共有ユニット２および測定ユニット３の各部に供給される。
【０１４７】
このように、各ユニット２，３，４間のコネクタ接続が確実に行われたことを確認した後に電源の供給を行うようにしたので、むき出しとなった測定側第１コネクタ３５ａや電源側コネクタ４３がショートしたりする可能性を回避できる。
【０１４８】
特に、本実施の形態においては、大掛かりな構成や特殊な部品を用いることなく、工夫により、小規模な回路構成で実現可能であり、コストの上昇をも抑制できる。
【０１４９】
上記したように、本実施の形態によれば、各ユニット２，３，４間のコネクタ接続が確認されるまでは電源ユニット４からの電源の供給をオフでき、共有ユニット２と電源ユニット４との間にコネクタ接続される測定ユニット３を安全に交換することができるイーサネット測定器１を提供できる。
【０１５０】
すなわち、本実施の形態に係るイーサネット測定器１は、各ユニット２，３，４間のコネクタ接続が行われたことを確認した後に、電源ユニット４の電源部４００からの電源の供給が行われるようにしている。これにより、各ユニット２，３，４間のコネクタ接続が確認されるまでは、確実に電源ユニット４からの電源の供給をオフできる。したがって、イーサネット測定器１の操作の熟練度などに関わらず、むき出しとなった測定側第１コネクタ３５ａや電源側コネクタ４３がショートしたりする可能性を回避でき、共有ユニット２と電源ユニット４との間にコネクタ接続される測定ユニット３をより安全に交換および追加することができる。
【０１５１】
また、本実施の形態においては、電圧が印加されたまま測定側コネクタ３５や電源側コネクタ４３がむき出しになるのを回避できるため、ショートに起因する故障を防止できるのみならず、被試験装置の多様化やネットワークの高速化または測定のマルチ化（例えば、複数の測定を略同時に並列処理すること）などに伴って高電圧が必要とされるイーサネット測定器１の場合にも感電などの危険から測定者を確実に保護することができる。
【０１５２】
特に、バッテリ４１を搭載したイーサネット測定器１の場合、外部電源４２のプラグをコンセントから引き抜いたとしても、バッテリ４１からの電源の供給はオフできないので、感電などの危険から測定者を保護できるようにすることは重要である。
【０１５３】
また、電源制御装置は構成が比較的単純であるため、各コネクタ２５，３５，４３が多ポート仕様などに伴ってより多ピン化された場合にも、イーサネット測定器１の大型化を招いたりすることなく、容易に対応できる。
【０１５４】
なお、本実施の形態においては、イーサネット測定器１を携帯型とした場合を例に説明したが、例えば、測定ユニット３の交換が可能な方式のものであれば携帯型に限定されない。
【０１５５】
また、イーサネット測定器１に限定されないことは勿論であり、各種のネットワーク試験装置に適用可能である。
【０１５６】
その他、本発明は上記した実施の形態に限定されるものでなく、特許請求の範囲の技術的範囲には、発明の要旨を逸脱しない範囲内で種々、設計変更した形態が含まれる。
【０１５７】
以上により、本発明の電源制御装置および電源制御方法ならびに測定装置は、各モジュール間のコネクタ接続が確認されるまでは電源モジュールからの電源の供給をオフでき、制御モジュールと電源モジュールとの間にコネクタ接続される測定モジュールを安全に交換することができるという効果を有し、測定装置の全般に有用である。
【符号の説明】
【０１５８】
１  イーサネット測定器（ネットワーク試験装置、測定装置）
２  共有ユニット（制御モジュール）
３  測定ユニット（測定モジュール）
４  電源ユニット（電源モジュール）
２０  筺体
２１  操作部
２１ａ  電源ボタン
２４  制御部
２５  共有側コネクタ（コネクタ部）
３０  筺体
３５  測定側コネクタ（コネクタ部）
３５ａ  測定側第１コネクタ
３５ｂ  測定側第２コネクタ
４０  筺体
４１  バッテリ
４２  外部電源
４３  電源側コネクタ（コネクタ部）
４４  スイッチ回路（電源制御装置）
４５  コネクタ保護回路（電源制御装置）
４５ａ  挿入検出部（検出部）
４６  遅延回路部（遅延部、電源制御装置）
４６ａ，４６ｂ，４６ｃ  ＲＣ遅延回路
３００  測定部
４００  電源部
【図１】
0005956489.tif 000002
【図２】
0005956489.tif 000003
【図３】
0005956489.tif 000004
【図４】
0005956489.tif 000005
【図５】
0005956489.tif 000006
【図６】
0005956489.tif 000007
【図７】
0005956489.tif 000008